(57)【特許請求の範囲】
【請求項１】
左右の足を挿入する部分を形成する左足パーツ及び右足パーツと、布重複部が設けられる臀部パーツと、長尺帯状である腹当て部と、前記腹当て部の外側に位置して前側において結ばれる腰ひもとを有するものであり、
着用状態では、左右の足パーツによって形成される部分に足が挿入され、布重複部によって臀部の一部又は全部が覆われ、腹当て部は前側において重なるようにして腹の全周を覆って巻き付けられて着用時における高さがへその上まで至っており、さらに、腰ひもが腹当て部の外側で結ばれるものであり、
左足パーツ、右足パーツ、臀部パーツ及び腹当て部は縫合されて、後側に合わせ目すき間が形成されないように臀部及び下腹部を覆う下腹覆い部を形成するものであり、
左右の足パーツのそれぞれの後側における、足パーツ自身及び足パーツと臀部パーツの縫合部分からなるラインが略Ｙ字を形成していることを特徴とする祭礼用股引。
【請求項２】
左右の足を挿入する部分を形成する左足パーツ及び右足パーツと、布重複部が設けられる臀部パーツと、腹当て部とを有するものであり、
布重複部の形状は、下端側の面積が小さく上部に向かって漸次面積が増大し、布重複部の下端は股の分かれ目近傍にあり、布重複部の上端は腰部近傍にあり、
着用状態では、左右の足パーツによって形成される部分に足が挿入され、布重複部によって臀部の一部又は全部が覆われ、腹当て部の着用時における高さがへその上まで至っており、
左足パーツ、右足パーツ、臀部パーツ及び腹当て部は縫合されて、後側に合わせ目すき間が形成されないように臀部及び下腹部を覆う下腹覆い部を形成するものであり、
左右の足パーツのそれぞれの後側における、足パーツ自身及び足パーツと臀部パーツの縫合部分からなるラインが略Ｙ字を形成していることを特徴とする祭礼用股引。
【請求項３】
着用時の股の分かれ目の前側上部近傍には開口又は上部に繋がる切れ目が設けられ、当該開口又は切れ目にファスナーが設けられていることを特徴とする請求項１又は２に記載の祭礼用股引。
【請求項４】
左右の足を挿入する部分を形成する左足パーツ及び右足パーツと、布重複部が設けられる臀部パーツと、長尺帯状である腹当て部と、前記腹当て部の外側に位置して前側において結ばれる腰ひもとを有するものであり、
布重複部の形状は、下端側の面積が小さく上部に向かって漸次面積が増大し、布重複部の下端は股の分かれ目近傍にあり、布重複部の上端は腰部近傍にあり、
着用状態では、左右の足パーツによって形成される部分に足が挿入され、布重複部によって臀部の一部又は全部が覆われ、腹当て部は前側において重なるようにして腹の全周を覆って巻き付けられて着用時における高さがへその上まで至っており、さらに、腰ひもが腹当て部の外側で結ばれるものであり、
着用時の股の分かれ目の前側上部近傍には開口又は上部に繋がる切れ目が設けられ、当該開口又は切れ目にファスナーが設けられ、
左足パーツ、右足パーツ、臀部パーツ及び腹当て部は縫合されて、後側に合わせ目すき間が形成されないように臀部及び下腹部を覆う下腹覆い部を形成するものであり、
左右の足パーツのそれぞれの後側における、足パーツ自身及び足パーツと臀部パーツの縫合部分からなるラインが略Ｙ字を形成していることを特徴とする祭礼用股引。
【請求項５】
布重複部は臀部の一部又は全部を覆い、布重複部の形状は、下端側の面積が小さく上部に向かって漸次面積が増大し、布重複部の下端は股の分かれ目近傍にあり、布重複部の上端は腰部近傍にあり、布重複部の上端の横方向の幅は、当該部分における胴周の３０％以上であることを特徴とする請求項１〜４のいずれかに記載の祭礼用股引。
【請求項６】
腹当て部の端部を固定する腹当て固定部材を有することを特徴とする請求項１〜４のいずれかに記載の祭礼用股引。
【請求項７】
腹当て固定部材は面ファスナーであることを特徴とする請求項６に記載の祭礼用股引。
【請求項８】
もの入れが設けられていることを特徴とする請求項１乃至７のいずれかに記載の祭礼用股引。
【請求項９】
腰ひもが設けられていることを特徴とする請求項２、３、５〜８のいずれかに記載の祭礼用股引。
【発明の詳細な説明】
【０００１】
【発明の属する技術分野】
本発明は、祭りなどの際に着用される股引に関するものである。
【０００２】
【従来の技術】
日本の全国各地で行われる祭りには、伝統的な衣装や装束が用いられる。そして、下半身には、股引やパッチなどと呼ばれる衣装が着用される。なお、本願では、これらの下半身に着用する衣装を総称して股引と呼ぶこととする。
【０００３】
図７は、従来の祭り用の股引１００を示したものである。従来の祭り用の股引１００は、下側には両足を挿入して覆うための足挿入部１１０と、腰覆い部１１１を有している。足挿入部１１０は、筒状であって、上側と下側に開口１１８，１１９を有している。足挿入部１１０はそれぞれ一枚の布の両端を縫製して接合し、筒状に成形したものであり、図７の様に後側に、布合わせ目１１５を有している。
【０００４】
腰覆い部１１１は、布状または風呂敷状であり、大きく広がる布形状をしている。また腰覆い部１１１の両端には、それぞれ腰ひも１１２が設けられている。腰覆い部１１１の布状部分には腰ひも通し穴１１３が設けられている。
腰覆い部１１１は足挿入部１１０の上側に縫製接続されている。そのため従来の股引１００では、腰覆い部１１１は正面に図７（ａ）の様に布があり、背面側は大きく開いている。
そして足挿入部１１０と腰覆い部１１１により、体の下半身が覆われる。
【０００５】
従来の股引１００を着衣する場合には、以下のように行う。
まず、足挿入部１１０に両足を挿入する。そして腰覆い部１１１の正面部分１２０で腹を覆う。
次に、腰覆い部１１１の両端部を体の側方から後に回して、体の腰を包む。このとき、体の右側（図７（ｂ）において右側）から後に回した腰覆い部１１１の一方の腰ひも１１２を、体の左側で反対側の腰覆い部１１１の内側を通し、さらに、腰ひも通し部１１３に通して股引の前側に引っ張る。そして、他方の腰ひも１１２は、腰覆い部１１１の外側から前に回して、一方の腰ひも１１２と結んで体に固定し、着衣する。
すなわち従来技術の股引１００では、腰覆い部１１１が布状または風呂敷状であり、尻を包み込んで覆うように着衣する。
【０００６】
上記のように着衣すると、図８（ａ），（ｂ）に示されるような状態となる。正面図である図８（ａ）に示されるように、体の前側で腰ひも１１２は結ばれている。
また、体の後側から見た図である図８（ｂ）に示されるように、体の後側で腰覆い部１１１の両端が臀部付近で重なり合って、重なり部１２１を有している。そして、重なり部１２１の右端（図８（ｂ）において右端）には、合わせ目すき間１２３ができる。
【０００７】
さらに、祭りの際には腹当てを着用する。腹当ては、帯状の布を輪状にしたものであり、いわゆる腹巻きのような形状であり、へそ辺りに位置して着用され、腰当ての一番上部がへそよりも上側に位置する。
そして、股引及び腹当てを身にまとった姿は、勇壮なだんじり祭りなどにおいて、特に祭りをを引き立てるものである。
【０００８】
【発明が解決しようとする課題】
前記した従来の股引１００は、伝統的な理由により、古くから同じ様な形態のものが用いられているが、この股引１００の着衣や脱衣は、行い難いものである。すなわち、股引１００を着衣する際には、股引１００の腰ひも１１２を一旦後側に回すことが必要なため、目の届かないところで行わなければならない。また、股引１００と腹当ての２種類を着用しなければならず、面倒である。また従来技術の股引１００は、前記した様に腰覆い部１１１が布状または風呂敷状であり、尻を包み込んで覆うように着衣するので、形を整えにくく、且つ着崩れしやすい。
そして従来技術の股引１００は、用便が面倒であった。すなわち従来技術の股引１００は、腰覆い部１１１が布状または風呂敷状であり、腰覆い部１１１の正面部分１２０で腹を覆うので、股の部分に布の切れ目がない。そのため男子は、小用を行いにくい。また女子は、腰ひも１１２を解いて腰覆い部１１１を外さなければ用を足すことができず、用便の際に腰ひも１１２が垂れて面倒である。
【０００９】
一方、従来技術の股引１００は、布状または風呂敷状の腰覆い部１１１をもって尻の部分を包むように着衣するから、尻の部分に合わせ部分が位置する。まただんじり祭りや踊りの際には、時として激しい動きをすることもある。そのため従来の股引１００では、激しい動きをすると着崩れし、臀部付近の合わせ部分が開き、尻が見えるという問題もあった。すなわち、腰覆い部１１１は、単に布を巻いて、腰ひも１１２結ぶだけで固定されているので、腰ひも１１２がゆるむと、合わせ目すき間１２３が大きくなり、股引１００の内側が見えてしまう。
【００１０】
また、祭りの際に、股引を着用した状態で、小銭入れなどの小物を携帯することがあり、この小物を確実に収納できるポケットも求められていた。
【００１１】
そこで本発明は、祭りの際に行う着替えの時や、用を足す際に必要であった着衣や脱衣を容易にするものであり、また、股引内部が見えることがなく、さらに、股引を着用した状態の外観を従来の股引と同様なものとして、伝統性を損なわない股引を提供することを課題とするものである。
【００１２】
【課題を解決するための手段】
そして、上記した目的を達成するための請求項１の発明は、左右の足を挿入する部分を形成する左足パーツ及び右足パーツと、布重複部が設けられる臀部パーツと、長尺帯状である腹当て部と、前記腹当て部の外側に位置して前側において結ばれる腰ひもとを有するものであり、着用状態では、左右の足パーツによって形成される部分に足が挿入され、布重複部によって臀部の一部又は全部が覆われ、腹当て部は前側において重なるようにして腹の全周を覆って巻き付けられて着用時における高さがへその上まで至っており、さらに、腰ひもが腹当て部の外側で結ばれるものであり、左足パーツ、右足パーツ、臀部パーツ及び腹当て部は縫合されて、後側に合わせ目すき間が形成されないように臀部及び下腹部を覆う下腹覆い部を形成するものであり、左右の足パーツのそれぞれの後側における、足パーツ自身及び足パーツと臀部パーツの縫合部分からなるラインが略Ｙ字を形成していることを特徴とする祭礼用股引である。
【００１３】
請求項１に記載の発明によれば、祭礼用股引には腹当てを有しており、腹当てと足挿入部が別々ではないため、着衣及び脱衣が容易となる。さらに、前側において重なるようにして腹の全周を覆って巻き付けられる腹当て部を有するので、さらに着衣及び脱衣が容易であり、股引の密着性が優れる。そして、この腹当て部は、長さが前記下腹覆い部の周長よりも長く、腹当て部は着用時に腹の全周を覆って巻き付け可能であり、さらに腹の前面側においては腹当て部が二重以上に重なるものを用いることができる。
また、従来の股引に有していた、合わせ目のすき間がなく、固定がゆるんだとしても内部が見えることはない。
さらに、本発明の祭礼用股引の着衣すると従来の衣装と略同じとなり、伝統的な祭りの衣装となる。
【００１４】
請求項２に記載の発明は、左右の足を挿入する部分を形成する左足パーツ及び右足パーツと、布重複部が設けられる臀部パーツと、腹当て部とを有するものであり、布重複部の形状は、下端側の面積が小さく上部に向かって漸次面積が増大し、布重複部の下端は股の分かれ目近傍にあり、布重複部の上端は腰部近傍にあり、着用状態では、左右の足パーツによって形成される部分に足が挿入され、布重複部によって臀部の一部又は全部が覆われ、腹当て部の着用時における高さがへその上まで至っており、左足パーツ、右足パーツ、臀部パーツ及び腹当て部は縫合されて、後側に合わせ目すき間が形成されないように臀部及び下腹部を覆う下腹覆い部を形成するものであり、左右の足パーツのそれぞれの後側における、足パーツ自身及び足パーツと臀部パーツの縫合部分からなるラインが略Ｙ字を形成していることを特徴とする祭礼用股引である。
【００１５】
上記発明によれば、下腹覆い部の臀部には布重複部が設けられているので、臀部付近の、股引の内側に着用している下着が透けて見えにくい。
【００１６】
請求項３に記載の発明は、着用時の股の分かれ目の前側上部近傍には開口又は上部に繋がる切れ目が設けられ、当該開口又は切れ目にファスナーが設けられていることを特徴とする請求項１又は２に記載の祭礼用股引である。
【００１７】
請求項３に記載の発明によれば、股の分かれ目の前側上部近傍には開口又は上部に繋がる切れ目が設けられ、当該開口又は切れ目にファスナーが設けられているので、祭礼用股引の着衣や脱衣が容易になり、さらに、男性は祭礼用股引を着用したままでも小便をすることができる。
【００１８】
請求項４に記載の発明は、左右の足を挿入する部分を形成する左足パーツ及び右足パーツと、布重複部が設けられる臀部パーツと、長尺帯状である腹当て部と、前記腹当て部の外側に位置して前側において結ばれる腰ひもとを有するものであり、布重複部の形状は、下端側の面積が小さく上部に向かって漸次面積が増大し、布重複部の下端は股の分かれ目近傍にあり、布重複部の上端は腰部近傍にあり、着用状態では、左右の足パーツによって形成される部分に足が挿入され、布重複部によって臀部の一部又は全部が覆われ、腹当て部は前側において重なるようにして腹の全周を覆って巻き付けられて着用時における高さがへその上まで至っており、さらに、腰ひもが腹当て部の外側で結ばれるものであり、
着用時の股の分かれ目の前側上部近傍には開口又は上部に繋がる切れ目が設けられ、当該開口又は切れ目にファスナーが設けられ、左足パーツ、右足パーツ、臀部パーツ及び腹当て部は縫合されて、後側に合わせ目すき間が形成されないように臀部及び下腹部を覆う下腹覆い部を形成するものであり、左右の足パーツのそれぞれの後側における、足パーツ自身及び足パーツと臀部パーツの縫合部分からなるラインが略Ｙ字を形成していることを特徴とする祭礼用股引である。
【００１９】
上記発明の祭礼用股引は、着衣及び脱衣が容易であり、強固に固定でき、さらに、股引内部が見えることない股引であり、伝統的な祭りの衣装として使用できる。
【００２０】
請求項５に記載の発明は、布重複部は臀部の一部又は全部を覆い、布重複部の形状は、下端側の面積が小さく上部に向かって漸次面積が増大し、布重複部の下端は股の分かれ目近傍にあり、布重複部の上端は腰部近傍にあり、布重複部の上端の横方向の幅は、当該部分における胴周の３０％以上であることを特徴とする請求項１〜４のいずれかに記載の祭礼用股引である。
【００２１】
請求項５に記載の発明によれば、布重複部の面積が十分な大きさとなり、さらに、内側の下着が透けて見えにくい。
【００２２】
請求項６に記載の発明は、腹当て部の端部を固定する腹当て固定部材を有することを特徴とする請求項１〜４のいずれかに記載の祭礼用股引である。
【００２３】
また請求項７に記載の発明は、腹当て固定部材は面ファスナーであることを特徴とする請求項６に記載の祭礼用股引である。
【００２４】
請求項６及び請求項７に記載の発明によれば、腹当て部の端部を腹部に固定する腹当て固定部材を有するので、腹当ての固定が容易となり、特に請求項７の発明によれば、腹当てが強固に固定することができる。
【００２５】
また、本発明は、パーツを縫合することによって構成され、臀部を構成するパーツは、足挿入部の前面側を構成するパーツとは別個であり、臀部を構成するパーツは、足挿入部の背面側に至って足挿入部の前面側を構成するパーツと縫合されていることを特徴としている。
【００２６】
上記構成によれば、パーツを縫合することによって構成され、臀部を構成するパーツは、足挿入部の前面側を構成するパーツとは別個であり、臀部を構成するパーツは、足挿入部の背面側に至って足挿入部の前面側を構成するパーツと縫合されているので、容易に製作でき、また、着用の際には従来の股引に近い外観状態となる。
【００２７】
請求項８に記載の発明は、もの入れが設けられていることを特徴とする請求項１乃至７のいずれかに記載の祭礼用股引である。
【００２８】
請求項８に記載の発明によれば、祭礼用股引を着用した状態で小物などを容易に携帯できる。
【００２９】
請求項９に記載の発明は、腰ひもが設けられていることを特徴とする請求項２、３、５〜８のいずれかに記載の祭礼用股引である。
【００３０】
請求項９に記載の発明によれば、腰ひもによってさらに強固に股引を固定することができる。
【００３１】
【発明の実施の形態】
以下さらに本発明の具体的実施例について説明する。図１は、本発明の第１の実施形態における祭礼用股引の正面図である。図２は、本発明の第１の実施形態における祭礼用股引の面ファスナーを開けた状態での正面図である。図３は、本発明の第１の実施形態における祭礼用股引の裏面図である。図４は、本発明の第２の実施形態における祭礼用股引の面ファスナーを開けた状態での正面図である。図５は、本発明の第１の実施形態における祭礼用股引を着衣した状態での図であり、（ａ）は正面図であり、（ｂ）は裏面図である。図６は、本発明の第１の実施形態における祭礼用股引をパーツごとに分解した際の裏面図である。
【００３２】
本発明の第１の実施形態における祭礼用股引１は、図１に示されるものであり、左右の足を個別に挿入する足挿入部６と、臀部及び下腹部を覆う下腹覆い部５と、長尺帯状の腹当て部７を有している。そして、下腹覆い部５は、一個の筒状体であり、足挿入部６の上側で接続し、さらに下腹覆い部５の上側の腹当て接続部４０で、腹当て部７に接続している。
また、祭礼用股引１の上側である、腹当て部７の上側には、上側開口１０を有し、祭礼用股引１の下側である、足挿入部６の下側には、足先を出すための２つの足先開口１１を有している。足先開口１１の前側は、切り欠き３５を有し、この切り欠き３５は、着用時には足の甲の部分に位置して、デザイン的に足袋と一体化した状態となる。
上記のように構成されているので、祭礼用股引１の内部は、上部開口１０から股分かれ部１９で２つに分かれて足先開口１１に至る空間を有している。
【００３３】
さらに、祭礼用股引１の前側のほぼ中央には、図２に示されるように、上側開口１０から股分かれ部１９にかけて、切れ目１２を有している。そして、この切れ目１２によって、股分かれ部１９から腹当て部７の上側までは、切れ目１２の両側で分離することができる。さらに、切れ目１２には、ファスナー１３が取り付けられ、ファスナー１３を閉じることによって切れ目１２は合わせることができる。
【００３４】
次に、腹当て部７について図２を用いて説明する。腹当て部７は帯状の部材であり、腰回りを一周する長さよりもやや長い長さである。
より具体的には、腹当て部７の長さは、腰回りを一周する長さよりも２０％以上長い。最も望ましくは、腰回りを一周する長さよりも２５％程度長い。
また腹当て部７の幅Ｗは、へその上下をすっぽりと覆うのに十分なものであり、１２ｃｍ以上であり、より望ましくは１４ｃｍ〜２０ｃｍである
前記した様に腹当て部７の幅Ｗは、へその上下をすっぽりと覆うのに十分なものであり、足挿入部６の股がみｗの４０％から７０％程度である。またより望ましい範囲は、５５％から６５％である。
【００３５】
そして、腹当て部７は、祭礼用股引１に使用している布を２枚重ね合わせており、他の部分より厚く、硬くなっている。従って、強固に固定することができる。
そして、腹当て部７は、下腹覆い部５の上側で下腹覆い部５と接続している。具体的には、腹当て部７の長手方向の一方の端部１７を切れ目１２に合わせ、この位置から胴回りを１周して再び切れ目１２に至る部分で接続している。さらに、他方の端部１８側は、腰回りを一周する長さよりもやや長いので、腹当て部７と固定されない部分であるはみ出し部２１を有する。
【００３６】
また、本発明の股引１の腹当て部７を巻くと、はみ出し部２１の部分は、はみ出し部合わせ部２０と重なる。そして、図２のように、この重なりの部分は、前側に位置している。
なお前記した様に腹当て部７の長さは、腰回りを一周する長さよりも２５％程度長く、図１の様に祭礼用股引１を正面視すると、はみ出し部２１の端部は、正面側の端部に至る。すなわち本実施形態では、腹当て部７は着用時に腹の全周を覆って巻き付け可能であり、さらに腹の前面側であって、略中央部よりも片側の全域（図１のエリアａ）においては、腹当て部が二重に重なる。
【００３７】
はみ出し部２１とはみ出し部合わせ部２０には腹当て固定部材１５を有している。腹当て固定部材１５は、面ファスナー１５ａ，１５ｂにより構成され、面ファスナー１５ａは、はみ出し部２１の裏側に、面ファスナー１５ｂは、はみ出し部合わせ部２０の表側に設けられている。ここで、裏側は股引の体側をいい、表側は股引の外側のことを意味する。面ファスナー１５ａ及び面ファスナー１５ｂは長方形であり、体の上下方向に長辺となるように位置している。そして、面ファスナー１５ａと面ファスナー１５ｂを合わせて押しつけると強固に接合し、また、接合状態で剥離方向にめくると容易に外れるものである。この一対の面ファスナー１５ａ，１５ｂは、具体的には、マジックテープ（登録商標）と称されるものである。また、はみ出し部合わせ部２０の表側の面ファスナー１５ｂの胴回り方向の幅は、はみ出し部２１の面ファスナー１５ａの胴回り方向の幅よりも大きい。したがって、胴回りの長さが多少変化しても面ファスナー１５ａ，１５ｂが接合でき、調整が可能となる。
【００３８】
さらに、腹当て部７の外側には、腰ひも８を有している。
腰ひも８は、細いひも状であり、図３に示されるように、腹当て部７の後側に有する腰ひも通し部９に通されている。長さは、胴回りを一周する長さよりも長い。また、腰ひも８は、腰ひも通し部９内を自由に移動させることができる。
【００３９】
そして、祭礼用股引１には図２に示されるように、外ポケット３０と内ポケット３１を備えている。
外ポケット３０は、腹当て部７のはみ出し部合わせ部２０よりも下側であり、祭礼用股引１の右側（図２においては図の左側）に位置しており、外側に切れ目３０ａを有し、内側に袋部３０ｂを有して、小物を切れ目から入れて袋部３０ｂに入れることにより、小物を収納することができる。この外ポケット３０は、腹当て部７を巻いた状態でも切れ目３０ａが外側に位置しており、祭礼用股引１を着用した状態で出し入れできる。
内ポケット３１は、腹当て部７の内側であり、祭礼用股引１の右側（図２においては図の左側）に位置しており、切れ目３１ａと、内側に袋部３１ｂを有して、小物を切れ目３１ａから入れて袋部３１ｂに入れることにより、小物を収納することができる。
また、外ポケット３０の切れ目３０ａには面ファスナー３０ｃが、内ポケット３１の切れ目３１ａには面ファスナー３１ｃ設けられ、収納した小物が外に出ることはない。
【００４０】
そして、図３に示されるように下腹覆い部５の後側には、布が２重となり他の部分よりも厚い部分である、臀部布重複部２２を有している。臀部布重複部２２の形状は、直線部分を上にした略半楕円状であり、したがって、臀部布重複部２２の下端側の幅が小さく、上部に向かって漸次幅が大きくなる形状である。
また、下側は股分かれ部１９付近に位置し、上側は下腹覆い部５の上端付近に位置している。臀部布重複部２２の直線部分の幅は下腹覆い部５の胴周長さの約３５％である
【００４１】
また、祭礼用股引１は、パーツを縫合することによって構成されている。図６は主なパーツに分けて分解して裏側から見た図であり、祭礼用股引１は左足パーツ３７、右足パーツ３８、臀部パーツ３９及び腰当て７に分かれている。
そして、左足パーツ３７と右足パーツ３８は、切れ目１２のファスナー１３で合わせられている。また、左足パーツ３７及び右足パーツ３８と、臀部パーツ３９は上側布合わせ部２３で縫合されている。さらに、臀部パーツ３９と腹当て部７は、腹巻き接続部４０で縫合されている。また、左足パーツ３７及び右足パーツ３８はそれぞれ下側に有する下側布合わせ目２４で布が縫合されて筒状となっている。
【００４２】
上記のように布が縫合されているので、縫合部分は後側に有し、略「Ｙ」字状となる。すなわち、下側布合わせ目２４の下側は、足先開口１１につながり、上側布合わせ目２３の上側の一方は股分かれ部１９付近に、上側の他方は下腹覆い部５の体の側部方向に向かって腹当て接続部４０の側方に至る。
したがって、祭礼用股引１は、パーツを縫合することによって構成され、臀部パーツ３９は、足挿入部の前面側を構成する左足パーツ３７及び右足パーツ３８と別個のパーツである。また、臀部パーツ３９は、足挿入部の背面側に位置し、足挿入部の前面側に位置している左足パーツ３７及び右足パーツ３８と縫合されている。
【００４３】
そして、この下側布合わせ目２４の足先開口１１付近には、図５（ｂ）に示されるように切れ目２５を有し、切れ目２５には面ファスナー２７が設けられ、面ファスナー２７で着脱可能となっている。切れ目２５を有しているため足先開口１１を大きくすることが可能となり、足先開口１１に足を出し入れする際に容易となる。
【００４４】
次に、本発明の祭礼用股引１を着衣する方法について説明する。まず、着衣する場合には、腹当て部７の腹当て固定部材１５を外し、切れ目１２のファスナー１３を開ける。そうすると、図２に示されるように、切れ目１２が開くので、上側開口１０の一部が切れている状態となる。そして、この状態で切れ目１２を前にして両足を通し、祭礼用股引１を引き上げる。
【００４５】
さらに、切れ目１２のファスナー１３を閉じて、腹当て部７を腹当て固定部材１５で固定し、そして、腰ひも８を前側で結んで、祭礼用股引１は着衣され、体に固定される。
【００４６】
そして、祭礼用股引１を着衣すると、図５（ａ），（ｂ）に示されるようにな状態となる。すなわち、足挿入部６に両足が入り、腹当て部７と腰ひも８が体に巻き付けられて祭礼用股引１が固定される。また、切れ目１２のファスナー１３は股分かれ部１９の前側の上側に位置している状態である。また、へそ部３０は、祭礼用股引１の上側開口１０よりも下側であり、祭礼用股引１はへそ上まで布を有している。
【００４７】
祭礼用股引１はこのように構成されているので、着替えや、用を足す際の着衣及び脱衣が容易となる。また、特に、男性が小便する際には、着衣及び脱衣は不要であり、ファスナー１３の開閉のみで行うことができる。
【００４８】
また、上側布合わせ目２３及び下側布合わせ目２４は、後側のみに有して前側にないため、祭礼用股引１を着用して膝を屈伸する際にも上側布合わせ目２３及び下側布合わせ目２４が邪魔をすることがないので、容易に屈伸できる。
さらに、祭礼用股引１を着衣した際の外観は、図５と図８を比較すれば明らかなように、従来の股引１００を着衣した場合とほとんど変わらない。すなわち、後側の上側布合わせ目２３及び下側布合わせ目２４と従来の股引１００の布合わせ目１１５が、臀部布重複部２２と従来の股引１００の重なり部１２１が略同じ位置となる。また、腰ひも８は、体をほぼ一周して前側で結んでいる。したがって、外観は従来の股引１００と同様な伝統的な外観である。
【００４９】
さらに、祭礼用股引１は、着衣した状態で、従来の股引１００の合わせ目すき間１２３のように、布がつながっていない部分ないので、股引内側の下着等が外側から見えることがない。また、従来の股引１００と同様に臀部には、臀部布重複部２２を有しているので布が２重であるので下着などが透けることがない。
【００５０】
なお、本発明の祭礼用股引１の布地は、ニット地を用いられているが、特にこれに限定されず、どのような織り方、編み方でもよく、どのような材質でもよい。
【００５１】
次に、第２の実施形態である祭礼用股引２について説明する。祭礼用股引２は、図４に示され、第１の実施形態である祭礼用股引１とは、腹当て固定部材１５の面ファスナー２５ｂが異なるものであり、他の形態は祭礼用股引１と同じものである。
すなわち、図４に示されるように、面ファスナー２５ｂは、はみ出し部合わせ部２０に取り付けられているが、長辺が体の上下方向ではなく、胴の周方向であり、さらに、長辺の長さは、ほぼ、切れ目１２付近から右側（図４においては図の左側）の側部までの長さである。
【００５２】
祭礼用股引２は上記のように構成されているので、腰回りの長さが多少変化しても同じサイズの祭礼用股引が着用可能であり、少ないサイズの品揃えでも、腰回りの長さが違う人に対して対応することできる。
【００５３】
【発明の効果】
本発明の祭礼用股引は、上記のように構成されているので、祭りの際に行う着替えの時や、用を足す際に必要であった着衣や脱衣を容易にし、また、股引内部が見えることがなく、さらに、股引を着用した状態の外観を従来の股引と同様なものとして、伝統性を損なわない。
【図面の簡単な説明】
【図１】  本発明の第１の実施形態における祭礼用股引の正面図である。
【図２】  本発明の第１の実施形態における祭礼用股引の面ファスナーを開けた状態での正面図である。
【図３】  本発明の第１の実施形態における祭礼用股引の裏面図である。
【図４】  本発明の第２の実施形態における祭礼用股引の面ファスナーを開けた状態での正面図である。
【図５】  本発明の第１の実施形態における祭礼用股引を着衣した状態での図であり、（ａ）は正面図であり、（ｂ）は裏面図である。
【図６】  本発明の第１の実施形態における祭礼用股引をパーツごとに分解した際の裏面図である。
【図７】  従来技術における祭礼用股引の図であり、（ａ）は正面図であり（ｂ）は裏面図である。
【図８】  従来技術における股引を着衣した状態での図であり、（ａ）は正面図であり、（ｂ）は裏面図である。
【符号の説明】
１  祭礼用股引
５  下腹覆い部
６  足挿入部
７  腹当て部
８  腰ひも
１０  上側開口
１２  切れ目
１３  ファスナー
１５  腹当て固定部材
１５ａ，１５ｂ  ２５ｂ  面ファスナー
１９  股分かれ部
２２  臀部布重複部
３０  外ポケット
３１  内ポケット
【図１】
0003823084.tif 000002
【図２】
0003823084.tif 000003
【図３】
0003823084.tif 000004
【図４】
0003823084.tif 000005
【図５】
0003823084.tif 000006
【図６】
0003823084.tif 000007
【図７】
0003823084.tif 000008
【図８】
0003823084.tif 000009